(57)【要約】【課題】支持線を添設した光ファイバケーブルの迂回用の接続分岐具であって、配線工事が簡便で、確実に配線でき、工事費用を低く抑えることができる接続分岐具を提供し、また、その接続分岐具を用いた支持構造を提供することを目的とする。【解決手段】本発明の接続分岐具は、継ぎ足し線を用いた迂回配線に使用されるものであって、接続分岐具には硬質金属線を螺旋に形成して成る直状の螺旋締結具を含み、該螺旋締結具の螺旋内径が、光ファイバケーブルの支持線の外径と、継ぎ足し線の外径との総和よりわずかに小さくされている。本発明の支持構造は、上記の螺旋締結具が使用され、支持線の一部と継ぎ足し線の先端部とを並列にして該螺旋締結具を捲き付けて締め付けることにより、両線を任意の迂回方向に張架可能とし、且つ締結部位より光ファイバケーブルの先側を別方向に分岐配線可能として、迂回的に配線することができる。【選択図】図３
2004153961.tif 000002
【特許請求の範囲】
【請求項１】
支持線を添設した光ファイバケーブルを継ぎ足し線を用いて分岐するための接続分岐具であって、
接続分岐具が硬質金属線を螺旋に形成して成る直状の螺旋締結具を含み、
該螺旋締結具の螺旋内径が、上記支持線の外径と上記継ぎ足し線の外径との総和よりわずかに小さくされて、
上記螺旋締結具が、光ファイバケーブルから引き剥がした支持線の一部と、継ぎ足し線の先端部と、を並列にして捲き付けて締結して、支持線と継ぎ足し線とを張架可能とし、且つ該締結部位より光ファイバケーブルの先側を別方向に分岐配線可能とした光ファイバケーブルの接続分岐具。
【請求項２】
接続分岐具が、硬質金属線から成る中央部に屈曲部とその両側に螺旋部とを有する引止め具をさらに含み、
引止め具の一方の螺旋部が、その螺旋内径を継ぎ足し線の外径よりわずかに小径となし、他方の螺旋部がその内径を支持線の外径よりわずかに小径となし、
引止め具は、上記一方の螺旋部が継ぎ足し線の該締結部位より後端部側で該締結部位に近接した部位に捲き付けて、上記他方の螺旋部が該支持線の該締結部位より先側で該締結部位に近接した部位に捲き付けて、光ファイバケーブルの上記先側を引き止めるようにした請求項１に記載の接続分岐具。
【請求項３】
硬質金属線が、鋼線またはメッキ鋼線である請求項１又は２に記載の接続分岐具。
【請求項４】
支持線を添設した光ファイバケーブルと、光ファイバケーブルに接続される継ぎ足し線と、該接続に利用する光ファイバケーブル用の接続分岐具と、から成り、
接続分岐具が硬質金属線を螺旋に形成して成る直状の螺旋締結具を含み、
該螺旋締結具の螺旋内径が、上記支持線の外径と上記継ぎ足し線の外径との総和よりわずかに小さくされており、
上記螺旋締結具が、光ファイバケーブルから引き剥がした支持線の一部と、継ぎ足し線の先端部と、を並列にして捲き付けて締結して、支持線と継ぎ足し線とを張架可能とし、且つ該締結部位より光ファイバケーブルの先側を別方向に分岐配線した光ファイバケーブルの支持構造。
【請求項５】
接続分岐具が、硬質金属線から成る中央部に屈曲部とその両側に螺旋部とを有する引止め具をさらに含み、
引止め具の一方の螺旋部が、その螺旋内径を継ぎ足し線の外径よりわずかに小径となし、他方の螺旋部がその内径を支持線の外径よりわずかに小径となし、
引止め具は、上記一方の螺旋部が継ぎ足し線の該締結部位より後端部側で該締結部位に近接した部位に捲き付けて、上記他方の螺旋部が該支持線の該締結部位より先側で該締結部位に近接した部位に捲き付けて、光ファイバケーブルの上記先側を引き止めた請求項４に記載の支持構造。
【請求項６】
硬質金属線が、鋼線またはメッキ鋼線である請求項４又は５に記載の支持構造。
【請求項７】
上記の光ファイバケーブルの後ろ側が、支柱間に張り渡した張架線に引留めされ、継ぎ足し線の後端部が別体の固定部に支持されている請求項４ないし６のいずれかに記載の支持構造。
【発明の詳細な説明】
【０００１】
【発明の属する技術分野】
本発明は、支持線を添設した光ファイバケーブルを継ぎ足し線を用いて分岐するための接続分岐具とこれを用いた支持構造に関し、特に、電柱間に張設した張架線に添設された光ファイバケーブルを、張架線から直線的に引き込むことができない位置にある建物等へ迂回的配線するのに使用される光ファイバケーブル用の接続分岐具及びこれを用いた支持構造に関する。
【０００２】
【従来の技術】
近年、コンピュータを利用した通信情報網の高速大容量化の整備に従って、オフィスだけでなく、家庭においても広くコンピュータ通信が利用されるようになり、最近では、通信会社と家庭とのコンピュータを大容量通信が可能な光ファイバで接続することもなされている。光ファイバは、電力用や一般公衆電話用などの電柱を利用して張架され、各家庭や事務所などの建物などに引き込んで配線され、各家庭のコンピュータなどに接続される。
【０００３】
光ファイバケーブルの分配方法には、電柱間に張架された張架線（メッセンジャーワイヤ）に光ファイバを沿わせて保持し、適切な位置で光ファイバをメッセンジャーワイヤから分岐して家に引き込む方法がある。このような配線には、１又は２以上の光ファイバと、鋼線からなる支持線と、を結束して被覆した光ファイバケーブルが利用される。
【０００４】
【発明が解決しようとする課題】
光ファイバケーブルをメッセンジャーワイヤから分岐するには、図５に示すように、従来の電線用分岐保持具を利用する方法が考えられる。分岐位置で、光ファイバケーブル６の被覆を剥離し、光ファイバ６０と支持線６１とを分離し、電線用分岐保持具のＣ形金物５１に掛止した２つの支持線引留め具５２、５２に、支持線６１を巻きつけて固定することにより、光ファイバを損傷することなく、光ファイバケーブルを分岐することができる。
【０００５】
メッセンジャーワイヤから分岐した光ファイバケーブルは、引留め金具５２から家屋まで直線的に張り渡されるが、メッセンジャーワイヤと家屋との間に他の建築物等が立設して直線的な配置が不可能な場合も多々見られた。
障害となる建築物を迂回して光ファイバを引き込むには、光ファイバケーブルを一旦家屋と別の迂回方向に向けて張り渡し、適切な位置で家屋方向に向けて配線することが考えられる。その方法には、例えば、メッセンジャーワイヤから迂回方向に張架したサブメッセンジャーワイヤを張設し、サブメッセンジャーワイヤに光ファイバケーブルを添設して、図５の分岐保持具を用いて、光ファイバケーブルをサブメッセンジャーワイヤから分岐して家屋に引き込むことができる。
【０００６】
しかし、この光ファイバケーブル迂回方法では、サブメッセンジャーワイヤの張架工事と、２箇所での分岐配線工事が必要であり、作業時間が長く、高額の工事費用がかかる。
【０００７】
また、メッセンジャーワイヤの光ファイバケーブルの分岐点は、分岐保持具と光ファイバケーブルに加えて、サブメッセンジャーワイヤの端部が固定されるので、配線が混雑して配線工事が煩雑になる。
【０００８】
さらに、この迂回方法は、メッセンジャーワイヤから支柱までを繋ぐことのできる長さのサブメッセンジャーワイヤ用の鋼線が必要となり、工事費用を増加させる原因となる。
【０００９】
そこで、本発明は、配線工事が簡便で、且つ確実に配線でき、工事費用を低く抑えることができる光ファイバケーブルの迂回配線可能な接続分岐具を提供することを目的とする。
また、本発明は、配線工事が簡便で、且つ確実に配線でき、工事費用を低く抑えることができる光ファイバケーブルの迂回配線可能な接続支持構造を提供することを目的とする。
【００１０】
【課題を解決するための手段】
本発明の光ファイバケーブルの接続分岐具は、支持線を添設した光ファイバケーブルを、継ぎ足し線を用いて分岐するための接続分岐具であって、接続分岐具が硬質金属線を螺旋に形成して成る直状の螺旋締結具を含み、該螺旋締結具の螺旋内径は、支持線の外径と継ぎ足し線の外径との総和よりわずかに小さくされている。
【００１１】
螺旋締結具は、支持線の一部と継ぎ足し線の先端部とを並列にして捲き付けることにより両線を締め付けて、両線を離脱不能に且つ張設可能に接続固定する。
螺旋締結具により、支持線と継ぎ足し線とを張架することができ、支持線の先側を両線の締結位置から別方向に分岐配線できるので、光ファイバケーブルを迂回的に配線することができる。
【００１２】
本発明の接続分岐具の取り付けは、支持線と継ぎ足し線とを捲き付けて装着するだけなので、巻付け工事が容易で、工事時間が短縮される。また、本発明の接続分岐具は、単純な構造で製造容易であり、製造コストを低くできる。
【００１３】
また、本発明の光ファイバケーブルの支持構造は、支持線を添設した光ファイバケーブルと、継ぎ足し線と、上記螺旋締結具を含む接続分岐具と、から成る。螺旋締結具は、光ファイバケーブルから引き剥がした支持線の一部と、継ぎ足し線の先端部と、を並列にして捲き付けて締結して、支持線と継ぎ足し線とを張架可能とし、且つ該締結部位より光ファイバケーブルの先側を別方向に分岐配線している。
【００１４】
詳しくは、光ファイバケーブルは、メッセンジャーワイヤで分岐固定され、接続分岐具により家屋その他契約者施設と別方向に張架保持されてから、家屋方向に向きを変えて、障害になる建築物を回避して迂回配線する。光ファイバケーブルの別方向への張架保持は、上記の螺旋締結具により、別に準備した継ぎ足し線と支持線とを接続することによりなされる。継ぎ足し線の後端部は、迂回方向に別の固定物、例えば、適当な支柱を設けてもしくは利用して接続される。
【００１５】
本発明の支持構造では、継ぎ足し線に用いる鋼線の長さが、支持線との接続固定位置から固定物までの長さでよいので、従来の分岐支持具を使用する場合に比べて短縮でき、工事費用を安価にすることができる。
また、本発明の支持構造では、継ぎ足し線はメッセンジャーワイヤに固定されないので、メッセンジャーワイヤの分岐点での配線が混雑しない。
【００１６】
【発明の実施の形態】
実施形態１．
本発明の分岐支持具の螺旋締結具１は、図１（Ａ）に示すように螺旋状に成形された硬質金属線から成る。
螺旋締結具１の螺旋は、光ファイバケーブルの吊り線の外径と継ぎ足し線の外径の和より螺旋小径にされされており、光ファイバケーブルの吊り線と継ぎ足し線とを取り囲んで、螺旋締結具１を引き伸ばす方向の引張力をかけることにより、螺旋締結具１の内径がわずかに収縮し、吊り線と継ぎ足し線を締め付けて接続固定する。また、螺旋締結具１は、吊り線と継ぎ足し線とに巻きつけて装着できる程度の可撓性と、引張力により大きな締結力を発揮できる剛性と、を備えるように、その寸法形状と使用する硬質金属線が選択される。
【００１７】
螺旋締結具１は、硬質の金属線、好ましくは鋼線、例えばステンレス鋼線や、メッキ鋼線、例えば、亜鉛メッキ鋼線、亜鉛アルミメッキ鋼線から形成され、これらの金属線は、硬質で、螺旋が容易には塑性変形せず、入手しやすく、且つ比較的安価であるので好ましい。
【００１８】
また、螺旋締結具１の螺旋部１０には摩擦増加材を塗布するのが好ましく、酸化アルミニウムの粉末と、油脂もしくは接着剤とを混合して成るペーストなどが、螺旋の内側に塗布されて利用できる。摩擦増加材は、支持線や継ぎ足し線と螺旋部分との間の引張力が大きくても、螺旋部分の締結力を高くして抜けるのを防止する。
【００１９】
本発明の螺旋締結具１を用いた光ファイバケーブルの迂回配線の一例を説明する。図４に示す迂回配線の概略図では、メッセンジャーワイヤ５上のクロージャ７から分配された家庭用の光ファイバケーブル６は、メッセンジャーワイヤに設置されたリング状の支持具等によってメッセンジャーワイヤに添設され、分岐点８で、従来の分岐保持具等を使用して、メッセンジャーワイヤから分岐される。分岐した光ファイバケーブルは、後ろ側６４でメッセンジャーワイヤの分岐点に固定され、締結固定位置９で継ぎ足し線３によって家屋４１とは別の方向に引張られ、先側６３を家屋４１に引き留めることにより、迂回配線されている。締結固定位置９では、螺旋締結具１により、光ファイバケーブル６の支持線６１に継ぎ足し線３が接続固定されており、継ぎ足し線３が適当な固定物ないし支持体、この例では別に立設した支柱４０、に固定して支持線６１と継ぎ足し線３を張架している。
【００２０】
この実施例で示す光ファイバケーブル６は、２本の光ファイバ６０と、金属線から成る支持線６１とを添設して成り、全体を樹脂等で被覆して構成されている。支持線６１は、光ファイバケーブル６の張架時に、光ファイバ６０自体に過剰な引張り応力がかかるのを防止するが、接続分岐する際には、部分的に被覆を剥離して、支持線６１を光ファイバ６０から分離して、螺旋締結具１が支持線のみを保持固定して配線する。これにより支持線６１に引張りを与えて、光ファイバ６０を傷つけることなく光ファイバケーブル６を配線することができる。被覆の端部は、亀裂が入りやすいので、被覆を剥離した場合には、被覆端部をテーピング等で補強するのが好ましい。
【００２１】
締結固定位置９近傍での接続分岐構造の詳細は、図２に示すように、螺旋締結具１は、継ぎ足し線３の先端部３１と、光ファイバケーブル６の支持線６１と、が並列にされて捲き付けられている。光ファイバケーブル６の後ろ側６４と継ぎ足し線３の後端部３２とは、それぞれ、支柱間のメッセンジャーワイヤ５と、別体の支柱４０とに接続して、これらの間に張架され、これにより、螺旋締結具１の螺旋部１０の内径が収縮して支持線６１と継ぎ足し線３とを締結する締結力が生じ、光ファイバケーブル６と継ぎ足し線３とが確実に接続固定される。
【００２２】
光ファイバケーブルの支持線６１の先側６３は、この実施例では、締結固定位置９で家屋４１方向に向けて、家屋４１に導入される。締結固定位置９での支持線６１の配向角度は、任意の角度にすることができ、例えば図２ではほぼ直角に配向している。
光ファイバ６０は、屈曲点９では、支持線から分離して緩やかに曲げられるので、光ファイバ６０を損傷することなく光ファイバケーブル６を任意の方向に、迂回的に配線することができる。
【００２３】
本発明の迂回配線用の分岐支持構造は、配線の固定保持具が螺旋締結具のみから成るので安価であり、螺旋締結具の装着が螺旋部を巻き付けるのみで容易であるので工事時間を短縮することができる。また、本発明の分岐支持構造では、継ぎ足し線が締結固定位置から支柱までの長さだけあればよく、硬質金属線の使用長さが短縮されるので、工事費用を低減することができる。
【００２４】
実施形態２．
引止め具２は、実施形態１で述べた螺旋締結具１と組合わせて使用されるが、その形状は、図１（Ｂ）に示すように、硬質金属線の中央の屈曲部２１と、屈曲部２１の両側に配置された螺旋部２０、２４とを備えている。
【００２５】
引止め具２は、上記の螺旋締結具１で接続固定した光ファイバケーブルの支持線と継ぎ足し線に装着される。図３に示すように、引止め具２の一方の螺旋部２４を光ファイバケーブル６の支持線６１に捲き付け、他方の螺旋部２０を継ぎ足し線３に捲き付ける。
引止め具２の屈曲部２１は、締結固定位置９で分岐した支持線６１と継ぎ足し線３との分岐角度に合わせて屈曲成形される。
【００２６】
螺旋締結具１のみを用いた配線では、支持線６１と継ぎ足し線３との分岐張架によって螺旋締結具１の螺旋端部が開く方向の力を受けるので、螺旋締結具２の締結力がいくらか低下する場合があるが、引止め具２を併用することにより、支持線６１と継ぎ足し線３とを引き寄せて固定できるので、螺旋締結具１の締結力低下を防止することができる。
特に、引止め具２の螺旋部２０、２４は、支持線と継ぎ足し線とが分離しようとする時に、螺旋部２０、２４を引き伸ばす方向の引張力を最も強く受けて、継ぎ足し線３又は支持線６１を締結し固定するので、支持線と継ぎ足し線が分離しようとする応力を確実に抑制することができる。
【００２７】
２つの螺旋部２０、２４は、図１（Ｂ）の例では、一方の螺旋部２０の内径が継ぎ足し線３の外径より僅かに小さくされ、他方の螺旋部２４の内径が支持線６１の外径より僅かに小さくされており、螺旋部の締結力を高くし、固定を確実にすることができる。
また、２つの螺旋部２０、２４の螺旋の巻きは、同じ方向でも異なる方向でも、同様な締結の効果を得ることができる。
引止め具２の屈曲部２１は、配線時に支持線と継ぎ足し線とを分岐する角度に合わせた角度で屈曲させるのが好ましく、この例では、ほぼ直角に曲げている。
【００２８】
引止め具２は、硬質の金属線、好ましくは鋼線、例えばステンレス鋼線や、メッキ鋼線、例えば亜鉛メッキ鋼線、亜鉛アルミメッキ鋼線から形成され、これらの金属線は、硬質で、螺旋が塑性変形せず、入手しやすく、且つ比較的安価であるので好ましい。
【００２９】
また、引止め具２の螺旋部２０、２４には、摩擦増加材を塗布するのが好ましく、酸化アルミニウムの粉末と、油脂もしくは接着剤とを混合して成るペーストなどが、螺旋の内側に塗布されて利用できる。摩擦増加材は、支持線や継ぎ足し線と螺旋部分との間の引張力が大きくても、螺旋部分の締結力を高くして抜けるのを防止する。
【００３０】
本発明の迂回用の分岐支持構造は、配線の固定保持具が螺旋締結具と引止め具とから成るので、螺旋締結具のみを使用した場合よりも、支持線と継ぎ足し線との接続固定力を強くすることができる。また、固定保持具の装着は、螺旋部分を線に巻き付けるのみと容易であるので、工事時間を短縮することができる。本発明の分岐支持構造では、継ぎ足し線が締結固定位置から支柱までの長さだけあればよく、硬質金属線を利用する迂回配線に比べて工事費を低減することができる。
【００３１】
【発明の効果】
本発明の接続分岐具が螺旋締結具を含んでおり、光ファイバケーブルの支持線と継ぎ足し線の先端部とを螺旋締結具で締結固定することで光ファイバケーブルを屈曲配線することができるので、迂回配線の配線工事を簡便に行うことができる。
【００３２】
本発明の螺旋締結具は、その螺旋内径が、光ファイバケーブルの支持線の外径と継ぎ足し線の外径との総和より小さくされているので、支持線と継ぎ足し線とに螺旋を巻付けたのみで両線が脱落するのを防止できて、配線を確実にすることができる。また、配線工事中の両線の脱落が防止できるので、工事を容易にすることができる。
【００３３】
本発明の接続分岐具が螺旋締結具と共に引止め具を含むと、螺旋締結具のみによる線の接続固定よりも、より強い締結固定をすることができる。
【００３４】
本発明の接続分岐具が、鋼線またはメッキ鋼線から成ると、適度な可撓性と剛性とを備え、且つ安価な接続分岐具を得ることができる。
【００３５】
本発明の支持構造は、上述の接続分岐具を用いて迂回配線した光ファイバケーブル支持構造であるので、構造の構築が容易となり工事時間を短縮することができ、また、使用する継ぎ足し線の長さを短く抑えることができて工事費用を低減することができる。
【図面の簡単な説明】
【図１】本発明の実施形態にかかる螺旋締結具（Ａ）と引止め具（Ｂ）である。
【図２】本発明の実施形態にかかる光ファイバケーブルの支持構造である。
【図３】本発明の他の実施形態にかかる光ファイバケーブルの支持構造である。
【図４】本発明の実施例にかかる光ファイバケーブルの配線概略図である。
【図５】電線用分岐保持具を利用した光ファイバケーブルの分岐支持構造の例を示す図である。
【符号の説明】
１      螺旋締結具
２      引止め具
２０    一方の螺旋部
２１    屈曲部
２４    他方の螺旋部
３      継ぎ足し線
３１    先端部
４０    支柱
５      メッセンジャーワイヤ
６      光ファイバケーブル
６０    光ファイバ
６１    支持線
６３    先側
６４    後ろ側
【図１】
2004153961.tif 000003
【図２】
2004153961.tif 000004
【図３】
2004153961.tif 000005
【図４】
2004153961.tif 000006
【図５】
2004153961.tif 000007